(57)【特許請求の範囲】
【請求項１】
外径が異なる２つの鍔を有する第１のコアの巻線部に巻回された第１のコイルと、該第１のコイルを被い第１の磁路を形成するポット型の第２のコアと、該第２のコアの外周に巻回された第２のコイルと、該第２のコイルを被って第２の磁路を形成するポット型の第３のコアを有し、該第１のコアの外径の大きい鍔に該第２のコアの開口面と該第３のコアの開口面を接着し、該第１の磁路と該第２の磁路が各々閉磁路となるように配置したことを特徴とするデジタルアンプ用コイル素子。
【請求項２】
断面がＥ字状の筒型のコアを有する第１のコアに、該第１のコアの中軸に巻線が形成された空芯コイルを挿着して第１の磁路を形成する第１のコイルと、該第１のコアの外周に巻回された第２のコイルと、該第２のコイルを被って第２の磁路を形成するポット型の第２のコアを有し、該第１のコアの開口面と該第２のコアの開口面に平板状の第３のコアを接着し、該第１の磁路と該第２の磁路が各々閉磁路となるように配置したことを特徴とするデジタルアンプ用コイル素子。
【請求項３】
前記第２のコイルは巻線が形成された空芯コイルとした請求項１または請求項２記載のデジタルアンプ用コイル素子。
【発明の詳細な説明】
【０００１】
【発明の属する技術分野】
本発明は、マルチサラウンド音響システム等において用いられる、デジタルオーディオアンプのフィルタ用などのコイルに関する。
【０００２】
【従来の技術】
図３はデジタルオーディオアンプの１チャンネル分の概略回路図である。図３においてＡＭＰはデジタルアンプ、Ｌ，ＣはローパスフィルタＬＰＦを構成するインダクタとコンデンサであり、これらデジタルアンプＡＭＰ，ローパスフィルタＬＰＦはサラウンド方式により１チャンネルについて２個必要である。ＳＰはスピ−カである。
近年、デジタルオーディオアンプにおいてはサラウンド機能が脚光を浴び、多チャンネル化している。このサラウンド機能において、図３の回路を１チャンネル分として４チャンネルから８チャンネル用いるのが一般的である。この回路においてローパスフィルタＬＰＦとして使用されるインダクタＬは、1０〜１００Ｗの出力を出すデジタルオーディオアンプでは２〜１０Ａの電流を流すために大きな形状となる。
図４に、従来使用されているインダクタの断面図を示す。
図４において、３１はドラムコア、３２はドラムコア３１に巻回されたコイル、３３はポットコア３３である。ドラムコア３１に巻回されたコイル３２にポットコア３３を被せた構成のものが一般的に使用されている。このインダクタは形状が大きいことからチャンネル数が増えると実装面積が大きくなり、装置として大型となる。
【０００３】
【発明が解決しようとする課題】
本発明は、インダクタの使用個数を減らし、実装面積をおさえ、装置の小型化を目的とする。
【０００４】
【課題を解決するための手段】
上記目的を達成するために、本発明は、外径が異なる２つの鍔を有する第１のコアの巻線部に巻回された第１のコイルと、第１のコイルを被って第１の磁路を形成するポット型の第２のコアを設ける。そして、第２のコアの外周に巻回された第２のコイルと第２のコイルを被って第２の磁路を形成するポット型の第３のコアを設ける。さらに、第１のコアの外径の大きい鍔に第２のコアの開口面である底面と第３のコアの開口面である底面を接着等で固定して、第１の磁路と第２の磁路が各々閉磁路となるように配置することを特徴とする。
または、断面がＥ字状の筒型の第１のコアに、第１のコアの中脚に巻線が形成された空芯コイルを挿着して第１の磁路を形成する。そして、第１のコアの外周に巻回された第２のコイルと、第２のコイルを被って第２の磁路を形成するポット型の第３のコアを設ける。さらに、第１のコアの開口面である底面と第２のコアの開口面である底面に平板状の第３のコアを接着等で固定して、第１の磁路と該第２の磁路が各々閉磁路となるように配置することを特徴とする。
さらに、第２のコイルとして予め巻線が形成された空芯コイルを使用することによりコイル形成が容易となる。
【０００５】
【発明の実施の形態】
本発明のデジタルアンプ用コイル素子は、外径が異なる２つの鍔を有する第１のコアの巻線部に巻回された第１のコイルと、第１のコイルを被って第１の磁路を形成するポット型の第２のコアと、第２のコアの外周に巻回した第２のコイルと、第２のコイルを被って第２の磁路を形成するポット型の第３のコアを設け、第１のコアの外形の大きい鍔に第２のコアの底面と第３のコアの底面を接着して、第１の磁路と第２の磁路が各々閉磁路となるように配置する。
または、断面がＥ字状の筒型の第１のコアに、第１のコアの中脚に巻線が形成された空芯コイルを挿入して第１の磁路を形成する第１のコイルと、第１のコアの外周に巻回された第２のコイルと、第２のコイルを被って第２の磁路を形成するポット状の第３のコアを有し、第１のコアの底面と第２のコアの底面に平板状の第３のコアを接着して、第１の磁路と第２の磁路が各々閉磁路となるように配置する。
さらに、第２のコイルとして予め巻線が形成された空芯コイルを使用することによりコイル形成が容易となる。
【０００６】
【実施例】
本発明のデジタルアンプ用コイル素子の実施例を図１乃至図２を用いて説明する。
図１（Ａ）は下鍔の広いドラムコアを用いた本発明のデジタルアンプ用コイル素子の実施例の一つである断面図である。
図１（Ａ）において、１は下鍔の広いドラムコアである第１のコア、２は第１のコア１に巻回された第１のコイル、３は第１のコイル２が巻回された第１のコア１を内包できるポット型の第２のコア、４は第２のコア３の側面外周に巻回された第２のコイル、５は第２のコイル４が巻回された第２のコア３を内包できるポット型の第３のコアである。第２のコア３の底面と第３のコア５の底面は第１のコア１の下鍔上面に各々配置して接着する。また、第１のコア１の下鍔の底面には外部回路と接続する複数の端子６を設け、第１のコイル２および第２のコイル４の各端末を接続する。
【０００７】
このように構成された本発明のデジタルアンプ用コイル素子は図１（Ｂ）の点線で示すように第１の閉磁路ｍ１と第２の閉磁路ｍ２を形成する。 第１の閉磁路ｍ１は第１のコイル２によって発生した磁束が第１のコア１の上鍔から第２のコア３にはいり、第２のコア３の底面から第１のコア１の下鍔を通るループを形成する。そして、第２の閉磁路ｍ２は第２のコイル４で発生した磁束が第２のコア３から第３のコア５にはいり、第３のコア５の底面から第１のコア１の下鍔を通るループを形成する。このように、第１のコイル２と第２のコイル４はそれぞれ閉磁路を構成することから１チャンネルで必要とされるインダクタの２個分を１素子で提供できる。また、第３のコア５を用いることにより電磁遮蔽が構成できるために外部からの電磁ノイズの影響を受けないインダクタを提供できる。このように、本発明のデジタルアンプ用コイル素子は１つの素子で第１のコイル２と第２のコイル４を２つのコア（第１のコア１と第２のコア３）を共有することにより２個分のインダクタを構成することができる。
【０００８】
つぎに、図２は断面がＥ字型をした筒状のコアを用いた本発明のデジタルアンプ用コイル素子の他の実施例である断面図である。
図２において、１１は中脚１２と外脚１３を有し断面がＥ字型をした筒状の第１のコア、１４は予め巻線された空芯コイルを第１のコアの中脚１２に装着した第１のコイル、１５は予め巻線された空芯コイルを外脚13の外周に装着した第２のコイル、１６は第２のコイル１５を装着した第１のコア１１を内包できるポット型の第２のコア、１７は第１のコアの外脚１３の底面と第２のコア１６の底面を接着する平板状の第３のコア、１８は第３のコア１７に第１のコイル１４と第２のコイル１５の各端末を外部回路と接続する複数の外部端子である。
【０００９】
このように構成された本発明のデジタルアンプ用コイル素子は図２（Ｂ）の点線で示すように第１の閉磁路ｍ３と第２の閉磁路ｍ４を形成する。第１の閉磁路ｍ３は第１のコイル１４によって発生した磁束が第１のコア１１の中脚１２から外脚１３を通り、外脚１３の底面から第３のコア１７にはいり、第３のコア１７から第１のコア１１の中脚１２の底面にはいるループを形成する。そして、第２の閉磁路ｍ４は第２のコイル１５で発生した磁束が第１のコア１１の外脚１３から第２のコア１６にはいり、第２のコア１６の底面から第３のコア１７を通り第１のコア１１の外脚１３の底面にはいるループを形成する。このように、第１のコイル１４と第２のコイル１５はそれぞれ閉磁路を構成することから１チャンネルで必要とされるインダクタの２個分を１素子で提供できる。また、第３のコア１６を用いることにより電磁遮蔽が構成できるために外部からの電磁ノイズの影響を受けないインダクタを提供できる。
このように、本発明のデジタルアンプ用コイル素子は１つの素子で第１のコイル１４と第２のコイル１５を２つのコア（第１のコア１１と第３のコア１７）を共有することにより２個分のインダクタを構成することができる。
【００１０】
以上、本発明のデジタルアンプ用コイル素子の実施例を述べたが、これらの実施例に限られるものではない。例えば、各々のコアは円筒形状のものや角型形状であっても良く、また、外部ノイズの影響がない回路または装置に使用する場合は外周のポットコアを外すことにより、コストダウンおよび軽量化に貢献できる。さらにまた、外部端子をフレーム端子電極または印刷電極等にすることにより面付け用（直付け）として実装工数の低減を図ることができる。
【００１０】
【発明の効果】
このように、本発明のデジタルアンプ用コイル素子は１チャンネルで必要とされるインダクタの２個分を１素子で提供できることから、従来は８個（４チャンネル）から１６個（８チャンネル）必要とされていたインダクタが本発明のデジタルアンプ用コイル素子を使用することにより４個から８個と半分の個数となるほか、実装工数も半分となる。そのために実装面積も大幅に縮小でき、装置の小型化が可能となる。
【図面の簡単な説明】
【図１】本発明のデジタルアンプ用コイル素子の第１の実施例を示す断面図と磁束分布である。
【図２】本発明のデジタルアンプ用コイル素子の第２の実施例を示す断面図と磁束分布である。
【図３】デジタルアンプに使用される１チャンネル分の概略回路図。
【図４】従来のデジタルアンプに使用されているインダクタの断面図。
【符号の説明】
１  第１のコア
２  第１のコイル
３  第２のコア
４  第２のコイル
５  第３のコア
６  端子
【図１】
0004064053.tif 000002
【図２】
0004064053.tif 000003
【図３】
0004064053.tif 000004
【図４】
0004064053.tif 000005